(57)【要約】【課題】表示装置の屈曲領域で耐衝撃性が向上された表示装置及び携帯用端末機を提供すること、又は、表示装置の非表示領域の中で、外部から視認される領域を減らしたり、なくしたりすること【解決手段】表示装置は、ウィンドウ部材、表示パネル、及び支持部材を含む。ウィンドウ部材は、ウィンドウ平坦部分とウィンドウ平坦部分から延長されて曲がったウィンドウ屈曲部分を含む。表示パネルは、上部平坦部分、上部屈曲部分、及び下部屈曲部分を含む。上部平坦部分は、ウィンドウ平坦部分と重畳する。上部屈曲部分は上部平坦部分から延長されて曲がっている。下部屈曲部分は上部屈曲部分から延長されて上部平坦部分の中心の下部に向かって曲がっている。支持部材は、表示パネルの背面に取り付けられ、表示パネルを支持する。表示パネルは、上部平坦部分及び上部屈曲部分で映像を表示し、下部屈曲部分で映像を表示しない。【選択図】図３
2019194678.tif 000002
【特許請求の範囲】
【請求項１】
ウィンドウ平坦部分と前記ウィンドウ平坦部分から延長されて曲がったウィンドウ屈曲部分とを含むウィンドウ部材と、
前記ウィンドウ平坦部分と重畳する上部平坦部分、前記上部平坦部分から延長されて前記ウィンドウ屈曲部分と重畳して曲がった上部屈曲部分、及び前記上部屈曲部分から延長されて前記上部平坦部分の中心の下部に向かって曲がった下部屈曲部分とを含む表示パネルと、
前記表示パネルの背面に取り付けられ、前記表示パネルを支持する支持部材と、
を有し、
前記表示パネルは、上部平坦部分及び前記上部屈曲部分で映像を表示し、前記下部屈曲部分で映像を表示しない、表示装置。
【請求項２】
前記上部平坦部分は、少なくとも一つの稜が面取りされた四角形状を有し、
前記上部屈曲部分は前記上部平坦部分の少なくとも一つの辺から延長される、請求項１に記載の表示装置。
【請求項３】
前記上部平坦部分は、四つの稜が面取りされた四角形状を有し、
前記上部屈曲部分は、前記上部平坦部分の四つの辺から延長される、請求項２に記載の表示装置。
【請求項４】
前記ウィンドウ部材は、前記ウィンドウ屈曲部分から延長され、フラットなウィンドウ延長部分をさらに包含し、
前記表示パネルは、前記上部屈曲部分と前記下部屈曲部分との間に配置され、前記ウィンドウ延長部分と重畳してフラットな延長平坦部分とをさらに含み、
前記表示パネルは、前記延長平坦部分において映像を表示する、請求項１に記載の表示装置。
【請求項５】
前記上部屈曲部分は、前記上部平坦部分の一辺から延長された第１上部屈曲部分及び前記上部平坦部分の他の一辺から延長された第２上部屈曲部分を含み、
前記下部屈曲部分は、前記第１上部屈曲部分から延長されて曲がった第１下部屈曲部分及び前記第２上部屈曲部分から延長されて曲がった第２下部屈曲部分を含み、
前記支持部材は、
前記上部平坦部分、第１上部屈曲部分、及び前記第１下部屈曲部分を支持する第１支持部材と、
前記上部平坦部分、第２上部屈曲部分、及び前記第２下部屈曲部分を支持する第２支持部材と、
を含む、請求項１に記載の表示装置。
【請求項６】
前記第１支持部材及び前記第２支持部材は、前記上部平坦部分の中心領域と重畳しない、請求項５に記載の表示装置。
【請求項７】
前記表示パネルは、
前記第１下部屈曲部分から平面上で上部平坦部分の中心に向かって延長されてフラットな第１下部平坦部分と、
前記第２下部屈曲部分から平面上で上部平坦部分の中心に向かって延長されてフラットな第２下部平坦部分と、
をさらに包含し、
前記第１支持部材は、前記第１下部平坦部分を支持して前記第１下部平坦部分より長い長さを有してフラットな第１下部平坦支持部分を包含し、前記第２支持部材は、前記第２下部平坦部分をより支持する、請求項５に記載の表示装置。
【請求項８】
前記第１下部平坦部分に接続されたフレキシブルプリント回路基板と、
前記フレキシブルプリント回路基板に接続されたプリント回路基板と、
をさらに有し、
前記第１下部平坦支持部分に定着溝が提供され、前記プリント回路基板は前記定着溝に定着される、請求項７に記載の表示装置。
【請求項９】
前記第１下部平坦部分に接続され、前記第１下部平坦支持部分に向かって曲げられたフレキシブルプリント回路基板と、
前記フレキシブルプリント回路基板に接続され、前記第１下部平坦支持部分によって支持されるプリント回路基板と、
をさらに有し、
前記第１下部平坦支持部分は、前記プリント回路基板と前記第１下部平坦部分との間に位置する、請求項７に記載の表示装置。
【請求項１０】
前記上部屈曲部分は、前記上部平坦部分の三つから延長される第１上部屈曲部分、第２上部屈曲部分及び第３上部屈曲部分を含み、
前記支持部材は、前記第１上部屈曲部分、前記第２上部屈曲部分及び前記第３上部屈曲部分をそれぞれ支持する第１支持部材、第２支持部材及び第３支持部材を含み、
前記第１支持部材は、前記第２支持部材及び前記第３支持部材とは異なる形状を有する、請求項１に記載の表示装置。
【請求項１１】
前記第１支持部材、前記第２支持部材及び前記第３支持部材のそれぞれは、一つに提供され、前記表示パネルの前記上部平坦部分の対応する辺に沿って延長された形状を有する、請求項１０に記載の表示装置。
【請求項１２】
前記第１支持部材、前記第２支持部材及び前記第３支持部材のそれぞれは、複数個のサブ支持部材を含み、
前記サブ支持部材は、前記表示パネルの前記上部平坦部分の対応する辺の延長方向に離隔された、請求項１０に記載の表示装置。
【請求項１３】
前記第１支持部材、前記第２支持部材及び前記第３支持部材は、互いに接続されて一体の形状を有する、請求項１０に記載の表示装置。
【請求項１４】
前記表示パネルの下部と前記第１支持部材、前記第２支持部材及び前記第３支持部材との間の空間に配置されたバッテリーをさらに含む、請求項１０に記載の表示装置。
【請求項１５】
前記表示パネル及び前記支持部材を収納し、前記ウィンドウ部材の前記ウィンドウ屈曲部分と結合された後面ケースをさらに含む、請求項１に記載の表示装置。
【請求項１６】
前記ウィンドウ部材と前記表示パネルとの間に配置され、前記上部平坦部分、前記上部屈曲部分及び前記下部屈曲部分と重畳する反射防止層をさらに含む、請求項１に記載の表示装置。
【請求項１７】
前記支持部材は、内部に配置されたアンテナパターンを含む、請求項１に記載の表示装置。
【請求項１８】
平面上で稜が面取りされた四角形状を有する上部平坦部分、前記上部平坦部分の少なくとも一つ以上の辺から延長されて曲がった上部屈曲部分、及び前記上部屈曲部分から延長されて前記上部平坦部分の中心の下部に向かって曲がった下部屈曲部分を含む表示パネルと、
前記表示パネルの背面に取り付けられ、前記上部平坦部分、前記上部屈曲部分及び前記下部屈曲部分を支持する支持部材と、
を有し、
前記表示パネルは、上部平坦部分及び前記上部屈曲部分で映像を表示し、前記下部屈曲部分で映像を表示しない、表示装置。
【請求項１９】
ウィンドウ平坦部分と前記ウィンドウ平坦部分から延長されて曲がったウィンドウ屈曲部分を含むウィンドウ部材と、
前記ウィンドウ平坦部分と重畳する上部平坦部分、前記上部平坦部分から延長されて前記ウィンドウ屈曲部分と重畳して曲がった上部屈曲部分、及び前記上部屈曲部分から延長されて前記上部平坦部分の中心の下部に向かって曲がった下部屈曲部分を含む表示パネルと、
前記上部平坦部分の一部を支持する上部平坦支持部分、前記上部平坦支持部分から延長されて曲がって前記上部屈曲部分を支持する上部屈曲支持部分、及び前記上部屈曲支持部分から延長されて曲がって前記下部屈曲部分を支持する下部屈曲支持部分を含む支持部材と、
を有し、
前記表示パネルは、前記ウィンドウ部材と前記支持部材との間に配置され、
前記表示パネルは、上部平坦部分及び前記上部屈曲部分で映像を表示し、前記下部屈曲部分で映像を表示しない、携帯用端末機。
【請求項２０】
前記上部平坦支持部分、前記上部屈曲支持部分及び前記下部屈曲支持部分のそれぞれは、一定の厚さを有する、請求項１９に記載の携帯用端末機。
【発明の詳細な説明】
【技術分野】
【０００１】
本発明は、表示装置及び携帯用端末機に関するもので、より詳しくは、非表示領域が縮小された表示装置及び端末機に関する。
【背景技術】
【０００２】
最近の携帯用端末機は、ユーザーに広く使用されている。携帯用端末機は、映像を表示する表示パネルとウィンドウ部材とを含む。ウィンドウ部材は携帯用端末機の外形を決定する。
【０００３】
最近、携帯用端末機などの電子機器のデザインが多様になるにつれて、直方体の形状を持たず、一部が曲率を有する表示パネルとウィンドウ部材の必要性が増大している。表示装置の曲率を有する領域でも映像を表示することができるが、外部から視認される非表示領域が存在し、表示装置の曲率を有する領域では、外部の衝撃に脆弱である。
【先行技術文献】
【特許文献】
【０００４】
【特許文献１】米国特許第８８２７５３６号明細書
【特許文献２】米国特許第９４２５４１８号明細書
【特許文献３】米国特許第９４９０３１２号明細書
【特許文献４】韓国登録特許第１０-１２１２１７２号公報
【特許文献５】米国特許出願公開第２０１７/０１１７５０１号明細書
【特許文献６】韓国公開特許第１０-２０１７-００４９７１３号公報
【発明の概要】
【発明が解決しようとする課題】
【０００５】
本発明が解決しようとする課題の一つは、表示装置の屈曲領域で耐衝撃性が向上された表示装置及び携帯用端末機を提供することにある。
【０００６】
また、別の課題の一つは、表示装置の非表示領域のうち、外部から視認される領域を減らしたり、なくしたりすることのできる表示装置及び携帯用端末機を提供することにある。
【課題を解決するための手段】
【０００７】
表示装置は、ウィンドウ部材、表示パネル、及び支持部材を含む。前記ウィンドウ部材は、ウィンドウ平坦部分と、前記ウィンドウ平坦部分から延長されて曲がったウィンドウ屈曲部分とを含む。
【０００８】
前記表示パネルは、上部平坦部分、前記上部屈曲部分、及び前記下部屈曲部分を含む。前記上部平坦部分は、前記ウィンドウ平坦部分と重畳する。前記上部屈曲部分は、前記上部平坦部分から延長されて曲がっている。前記下部屈曲部分は、前記上部屈曲部分から延長されて前記上部平坦部分の中心の下部に向かって曲がっている。
【０００９】
前記支持部材は、前記表示パネルの背面に取り付けられ、前記表示パネルを支持する。前記表示パネルは、上部平坦部分及び前記上部屈曲部分で映像を表示し、前記下部屈曲部分で映像を表示しない。
【００１０】
前記上部平坦部分は、少なくとも一つの稜が面取りされた四角形状を有してもよい。前記上部屈曲部分は前記上部平坦部分の少なくとも三つ以上の辺から延長されてもよい。
【００１１】
前記上部平坦部分は、四つの稜が面取りされた四角形状を有してもよい。前記上部屈曲部分は、前記上部平坦部分の四つの辺から延長されてもよい。
【００１２】
前記ウィンドウ部材は、前記ウィンドウの屈曲部分から延長され、フラットなウィンドウの延長部分をさらに含んでもよい。前記表示パネルは、前記上部屈曲部と前記下部屈曲部分との間に配置され、前記ウィンドウの延長部分と重畳してフラットな延長平坦部分をさらに含んでもよい。前記表示パネルは、前記延長平坦部分で映像を表示してもよい。
【００１３】
前記上部屈曲部分は、前記上部平坦部分の一辺から延長された第１上部屈曲部分及び前記上部平坦部分の他の一辺から延長された第２上部屈曲部分を含んでもよい。前記下部屈曲部分は、前記第１上部屈曲部分から延長されて曲がった第１下部屈曲部分及び前記第２上部屈曲部分から延長されて曲がった第２下部屈曲部分を含んでもよい。
【００１４】
前記支持部材は、第１支持部材及び第２支持部材を含んでもよい。前記第１支持部材は、前記上部平坦部分、第１上部屈曲部分、及び前記第１下部屈曲部分を支持してもよい。前記第２支持部材は、前記上部平坦部分、第２上部屈曲部分、及び前記第２下部屈曲部分を支持してもよい。
【００１５】
本発明の実施形態による表示装置は、表示パネル及び支持部材を含んでもよい。前記表示パネルは、上部平坦部分、上部屈曲部分、及び下部屈曲部分を含んでもよい。
【００１６】
前記上部平坦部分は、平面上で、稜が面取りされた四角形状を有してもよい。前記上部屈曲部分は、前記上部平坦部分の少なくとも三つ以上の辺から延長されて曲がってもよい。前記下部屈曲部分は、前記上部屈曲部分から延長されて前記上部平坦部分の中心の下部に向かって曲がってもよい。
【００１７】
前記支持部材は、前記表示パネルの背面に取り付けられ、前記上部平坦部分、前記上部屈曲部分、及び前記下部屈曲部分を支持してもよい。
【００１８】
前記表示パネルは、上部平坦部分及び前記上部屈曲部分で映像を表示し、前記下部屈曲部分で映像を表示しなくてもよい。
【００１９】
本発明の実施形態による携帯用端末機は、ウィンドウ部材、表示パネル、及び支持部材を含んでもよい。
【００２０】
前記ウィンドウ部材は、ウィンドウ平坦部分と、前記ウィンドウ平坦部分から延長されて曲がったウィンドウ屈曲部分とを含んでもよい。
【００２１】
前記表示パネルは、上部平坦部分、上部屈曲部分、及び下部屈曲部分を含んでもよい。前記上部平坦部分は、前記ウィンドウ平坦部分と重畳してもよい。前記上部屈曲部分は、前記上部平坦部分から延長されて前記ウィンドウ屈曲部分と重畳して曲がってもよい。前記下部屈曲部分は、前記上部屈曲部分から延長されて前記上部平坦部分の中心の下部に向かって曲がってもよい。
【００２２】
前記支持部材は、上部平坦支持部分、上部屈曲支持部分、及び下部屈曲支持部分を含んでもよい。前記上部平坦支持部分は、前記上部平坦部分の一部を支持してもよい。前記上部屈曲支持部分は、前記上部平坦支持部分から延長されて曲がっており、前記上部屈曲部分を支持してもよい。下部屈曲支持部分は、前記上部屈曲支持部分から延長されて曲がっており、前記下部屈曲部分を支持してもよい。
【００２３】
前記表示パネルは、前記ウィンドウ部材と前記支持部材との間に配置されてもよい。前記表示パネルは、上部平坦部分及び前記上部屈曲部分で映像を表示し、前記下部屈曲部分で映像を表示しなくてもよい。
【発明の効果】
【００２４】
本発明の実施形態による表示装置及び携帯用端末機によれば、表示装置の屈曲領域で耐衝撃性が向上されることができる。また、表示装置及び携帯用端末機は、支持部材を備えることにより、表示装置の非表示領域のうち、外部から視認される領域を減らしたり、なくしたりすることができる。
【図面の簡単な説明】
【００２５】
【図１】図１は、本発明の実施形態による表示装置の斜視図である。
【図２】図２は、図１の表示装置の分解斜視図である。
【図３】図３は、本発明の一実施形態による表示装置において、図１のＩ−Ｉ’線に沿って切断した断面図である。
【図４】図４は、本発明の一実施形態による表示装置において、図１のＩＩ−ＩＩ’線に沿って切断した断面図である。
【図５】図５は、図１のＡＡ領域に応じたウィンドウ部材の一部を図示した斜視図である。
【図６】図６は、図２のＢＢ領域に応じた表示パネルの一部を図示した斜視図である。
【図７】図７は、本発明の実施形態において、図１のＩ−Ｉ’線に沿った表示パネルを図示した断面図である。
【図８】図８は、第１支持部材を拡大して図示した断面図である。
【図９】図９は、第４支持部材を拡大して図示した断面図である。
【図１０】図１０は、本発明の実施形態による第１支持部材を図示した斜視図である。
【図１１】図１１は、本発明の実施形態による第４支持部材を図示した斜視図である。
【図１２】図１２は、本発明の他の実施形態による第１支持部材を図示した斜視図である。
【図１３】図１３は、本発明の他の実施形態による支持部材を図示した斜視図である。
【図１４】図１４は、本発明の他の実施形態による表示装置において、図１のＩ−Ｉ’線に沿って切断した断面図である。
【図１５】図１５は、本発明の他の実施形態による表示装置において、図１のＩＩ−ＩＩ’線に沿って切断した断面図である。
【図１６】図１６は、図１４に図示された第１支持部材を拡大して示した断面図である。
【図１７】図１７は、図１４に図示された第４支持部材を拡大して示した断面図である。
【図１８】図１８は、本発明の他の実施形態による表示装置において、図１のＩ−Ｉ’線に沿って切断した断面図である。
【図１９】図１９は、本発明の他の実施形態による表示装置において、図１のＩＩ−ＩＩ’線に沿って切断した断面図である。
【図２０】図２０は、本発明の他の実施形態による表示装置において、図１のＩ−Ｉ’線に沿って切断した断面図である。
【図２１】図２１は、本発明の他の実施形態による表示装置において、図１のＩＩ−ＩＩ’線に沿って切断した断面図である。
【図２２】図２２は、本発明の他の実施形態による表示装置において、図１のＩ−Ｉ’線に沿って切断した断面図である。
【図２３】図２３は、本発明の他の実施形態において、第１支持部材を拡大して図示した断面図である。
【図２４】図２４は、第４支持部材を拡大して図示した断面図である。
【発明を実施するための形態】
【００２６】
本発明は、多様な変更を加えることができ、様々な形態を有することができるところ、特定の実施形態を図面に例示して本文において詳細に説明しようとする。しかし、これは本発明を特定の開示形態について限定しようとするものではなく、本発明の思想及び技術範囲に含まれるすべての変更、均等物乃至代替物を含むものと理解されるべきである。なお、図面で本発明と関係のない部分は、本発明の説明を明確にするために省略しており、明細書全体にわたって類似した部分については同一の符号を付けた。
【００２７】
図１は、本発明の実施形態による表示装置の斜視図であり、図２は、図１の表示装置の分解斜視図である。
【００２８】
図１には、本発明の一実施形態による表示装置が適用された例として携帯用端末機を図示した。携帯用端末機は、タブレットＰＣ、スマートフォン、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ゲーム機、腕時計型電子機器などであってもよい。しかし、本発明はこれに限定されるものではない。本発明は、テレビ又は屋外広告物のような大型の電子装備をはじめ、パーソナルコンピュータ、ノートパソコン、自動車ナビユニット、カメラのような中小型の電子装備などに使用されてもよい。これらは単に一実施形態として提示されたものであり、本発明の概念から逸脱しない以上、他の電子機器にも採用されうることは、もちろんである。
【００２９】
図１に図示されたように、表示装置１０００は、表示面（ＤＳＦ）上で区分される複数個の領域を含む。表示面（ＤＳＦ）は平坦面（ＦＡ）と、平坦面（ＦＡ）に接続された屈曲面（ＢＡ）とを含む。
【００３０】
屈曲面（ＢＡ）は、平坦面（ＦＡ）の辺から延長されて曲がった形状を有する。
【００３１】
屈曲面（ＢＡ）の曲率中心は、図１を基準にして表示装置１０００の内部又は表示装置１０００の下部に位置する。
【００３２】
本発明の実施形態において、平坦面（ＦＡ）は、四角形状に定義され、屈曲面（ＢＡ）は、平坦面（ＦＡ）の四つの辺に接続されたことを例示的に図示した。ただし、これに限定されるものではなく、屈曲面（ＢＡ）は、平坦面（ＦＡ）の少なくとも一つの辺に接続されてもよい。
【００３３】
平坦面（ＦＡ）及び屈曲面（ＢＡ）は、映像を表示する。屈曲面（ＢＡ）は、少なくとも一部の領域において平坦面（ＦＡ）で表示される映像と連続的に映像を表示する。屈曲面（ＢＡ）の他の一部の領域は、映像を表示しなくてもよく、屈曲面（ＢＡ）の映像を表示しない領域は省略されてもよい。
【００３４】
図１において、平坦面（ＦＡ）で表示される映像（ＩＭ１）の一例として、動物のキャラクターを図示しており、屈曲面（ＢＡ）で表示される映像（ＩＭ２）の一例として、アイコンを図示した。
【００３５】
平坦面（ＦＡ）は、第１方向（ＤＲ１）と第２方向（ＤＲ２）とを含む面と平行な面として定義され、平坦部（ＦＡ）の法線方向は、第３方向（ＤＲ３）として定義される。第３方向（ＤＲ３）は、各部材の前面と背面とを区分する基準方向である。しかし、第１方向から第３方向によって定義される方向は、相対的な概念として、他の方向に変換されてもよい。
【００３６】
図１及び図２を参照すると、表示装置１０００は、ウィンドウ部材１００、表示パネル２００、支持部材３００及び後面ケース４００を含む。
【００３７】
ウィンドウ部材１００及び表示パネル２００のそれぞれは、図１の表示面（ＤＳＦ）の形状と対応するように部分的に屈曲された形状を有する。ウィンドウ部材１００及び表示パネル２００の具体的な形状は、図３及び図４を参照して、後述する。
【００３８】
ウィンドウ部材１００は、表示パネル２００の上部に配置される。
【００３９】
ウィンドウ部材１００の上面は、図１を参照して説明した表示面（ＤＳＦ）を構成する。
【００４０】
ウィンドウ部材１００は、ガラス、サファイア、プラスチックなどで構成される。
【００４１】
表示パネル２００は、ウィンドウ部材１００の下部に付着される。表示パネル２００は、映像を表示する。表示パネル２００は、有機発光表示パネル（Ｏｒｇａｎｉｃ  Ｌｉｇｈｔ  Ｅｍｉｔｔｉｎｇ  Ｄｉｓｐｌａｙ  ｐａｎｅｌ）であり得る。
【００４２】
図示していないが、表示装置１０００は、フレキシブルプリント回路基板及びプリント回路基板をさらに含んでもよい。具体的な内容は後述する。
【００４３】
図示していないが、表示装置１０００は、タッチ検出ユニット（図示せず）をさらに含んでもよい。タッチ検出ユニットは、ウィンドウ部材１００と表示パネル２００との間に配置される。ただし、これに限定されるものではなく、実施形態に基づいて、タッチ検出ユニットは、表示パネル２００の内部に配置されてもよい。タッチ検出ユニットは、抵抗膜方式、静電容量方式、又は電磁気誘導方式で動作し、タッチイベントが発生した地点の座標情報を取得してもよい。
【００４４】
支持部材３００は、表示パネル２００の背面に位置する。
【００４５】
支持部材３００は、第１〜第４支持部材(３１０〜３４０)を含む。第１〜第４支持部材(３１０〜３４０)は、表示パネル２００の四つの側面のそれぞれに対応して配置される。
【００４６】
支持部材３００は、表示パネル２００の屈曲領域に対応して配置され、表示パネル２００の屈曲領域を支持し、表示装置１０００の機構的強度を向上させることができる。また、支持部材３００によって表示パネル２００の非表示領域をウィンドウ部材１００と重畳していない位置に配置し、ウィンドウ部材１００と重畳する位置に映像が表示される表示パネル２００の屈曲領域を配置して、表示装置１０００で映像が表示されない領域である非表示領域を減少させることができる。
【００４７】
後面ケース４００は、表示パネル２００及び支持部材３００を収納するように、ウィンドウ部材１００と結合される。後面ケース４００は、プラスチック又は金属を含む。
【００４８】
図３は、本発明の一実施形態による表示装置において、図１のＩ−Ｉ’線に沿って切断した断面図であり、図４は、本発明の一実施形態による表示装置において、図１のＩＩ−ＩＩ’線に沿って切断した断面図である。
【００４９】
図２〜図４を参照すると、ウィンドウ部材１００は、ウィンドウ平坦部分１１０、第１〜第４ウィンドウ屈曲部分(１２１，１２３，１２５，１２７)、及び第１〜第４ウィンドウ延長部分(１３１，１３３，１３５，１３７)を含む。
【００５０】
ウィンドウ部材１００は、複数の層を含み、ウィンドウ平坦部分１１０、第１〜第４ウィンドウ屈曲部分(１２１，１２３，１２５，１２７)、及び第１〜第４ウィンドウ延長部分(１３１，１３３，１３５，１３７)のそれぞれは、複数の層を含む。
【００５１】
ウィンドウ平坦部分１１０、第１〜第４ウィンドウ屈曲部分(１２１，１２３，１２５，１２７)、及び第１〜第４ウィンドウ延長部分(１３１，１３３，１３５，１３７)は、物理的に分離されないが、本発明の実施形態では便宜上区分して説明する。
【００５２】
ウィンドウ平坦部分１１０は、第１及び第２方向（ＤＲ１、ＤＲ２）を含む平面に平行になるフラットな形状を有する。本発明の実施形態で、ウィンドウ平坦部分１１０は、第３方向（ＤＲ３）から見た場合に、稜が曲線に面取り(ｃｈａｍｆｅｒ)された四角形状として定義されるが、これに限定されるものではない。
【００５３】
第１〜第４ウィンドウ屈曲部分(１２１，１２３，１２５，１２７)は、ウィンドウ平坦部分１１０の四つの辺のそれぞれから延長される。第１〜第４ウィンドウ屈曲部分(１２１，１２３，１２５，１２７)は、対応するウィンドウ平坦部分１１０の辺を基準にして曲がった形状を有する。
【００５４】
第１〜第４ウィンドウ屈曲部分(１２１，１２３，１２５，１２７)は、ウィンドウ部材１００の上部から下部方向（図２基準）に曲がっており、第１〜第４ウィンドウ屈曲部分(１２１，１２３，１２５，１２７)の曲率中心は、ウィンドウ部材１００の下部（図２基準）に位置する。
【００５５】
第１〜第４ウィンドウ延長部分(１３１，１３３，１３５，１３７)のそれぞれは、第１〜第４ウィンドウ屈曲部分(１２１，１２３，１２５，１２７)のそれぞれから延長される。第１〜第４ウィンドウ延長部分(１３１，１３３，１３５，１３７)のそれぞれは、フラットになっており、第１〜第４ウィンドウ延長部分(１３１，１３３，１３５，１３７)のそれぞれは、第３方向（ＤＲ３）と平行に延長される。
【００５６】
図５は、図１のＡＡ領域に応じたウィンドウ部材の一部を図示した斜視図である。
【００５７】
図２〜図５を参照すると、本発明の実施形態において、ウィンドウ平坦部分１１０は、平面上で面取りされた四角形形状を有するので、ウィンドウ平坦部分１１０の面取りされた部分に接続されたウィンドウ部材１００の一部分は、第１〜第４ウィンドウ屈曲部分(１２１，１２３，１２５，１２７)に含まれるものとして定義される。ウィンドウ平坦部分１１０の面取りされた部分に接続され、第１〜第４ウィンドウ屈曲部分(１２１，１２３，１２５，１２７)に含まれるウィンドウ部材１００の一部分は、ウィンドウ面取り屈曲部分１４０として定義される。ウィンドウ面取り屈曲部分１４０は、隣接し合ったウィンドウ平坦部分１１０の２つの辺を基準にして曲がっている。本発明の実施形態では、ウィンドウ面取り屈曲部分１４０は、四つであり得る。
【００５８】
同様に、ウィンドウの面取り屈曲部分１４０に接続されたウィンドウ部材１００の一部分は、第１〜第４ウィンドウ延長部分(１３１，１３３，１３５，１３７)に含まれるものとして定義される。ウィンドウ面取り屈曲部分１４０に接続され、第１〜第４ウィンドウ延長部分(１３１，１３３，１３５，１３７)に含まれるウィンドウ部材１００の一部分は、ウィンドウ面取り延長部分１５０として定義される。ウィンドウ面取り延長部分１５０は、第３方向（ＤＲ３）と平行し、第３方向（ＤＲ３）を基準にして曲がっている。本発明の実施形態で、ウィンドウ面取り延長部分１５０は、四つであり得る。
【００５９】
再び図２〜図４を参照すると、表示パネル２００は、上部平坦部分２１０、第１〜第４上部屈曲部分(２２１，２２３，２２５，２２７)、第１〜第４延長平坦部分(２３１，２３３，２３５，２３７)、第１〜第４下部屈曲部分(２４１，２４３，２４５，２４７)、及び第１〜第４下部平坦部分(２５１，２５３，２５５，２５７)を含む。
【００６０】
上部平坦部分２１０、第１〜第４上部屈曲部分(２２１，２２３，２２５，２２７)、第１〜第４延長平坦部分(２３１，２３３，２３５，２３７)、第１〜第４下部屈曲部分(２４１，２４３，２４５，２４７)、及び第１〜第４下部平坦部分(２５１，２５３，２５５，２５７)は、物理的に分離されないが、本発明の実施形態では便宜上区分して説明する。
【００６１】
上部平坦部分２１０は、第１及び第２方向（ＤＲ１、ＤＲ２）を含む平面と平行となるフラットな形状を有する。上部平坦部分２１０は、ウィンドウ平坦部分１１０と重畳する。本発明の実施形態では、上部平坦部分２１０は、ウィンドウ平坦部分１１０と対応する形状を有し、第３方向（ＤＲ３）から見た場合に、稜が曲線に面取り(ｃｈａｍｆｅｒ)された四角形状として定義される。
【００６２】
第１〜第４上部屈曲部分(２２１，２２３，２２５，２２７)は、上部平坦部分２１０の四つの辺のそれぞれから延長される。第１〜第４上部屈曲部分(２２１，２２３，２２５，２２７)のそれぞれは、第１〜第４ウィンドウ屈曲部分(１２１，１２３，１２５，１２７)のそれぞれと対応する形状を有し、重畳する。第１〜第４上部屈曲部分(２２１，２２３，２２５，２２７)は、対応する上部平坦部分２１０の辺を基準にして曲がった形状を有し得る。
【００６３】
第１〜第４上部屈曲部分(２２１，２２３，２２５，２２７)は、表示パネル２００の上部から下部方向（図２基準）へ曲がっており、第１〜第４上部屈曲部分(２２１，２２３，２２５，２２７)の曲率中心は、第１〜第４上部屈曲部分(２２１，２２３，２２５，２２７)の下部、すなわち、第１〜第４上部屈曲部分(２２１，２２３，２２５，２２７)に比べて、第１〜第４上部屈曲部分(２２１，２２３，２２５，２２７)と対応する第１〜第４支持部材(３１０，３２０，３３０，３４０)の近くに位置する。
【００６４】
第１〜第４延長平坦部分(２３１，２３３，２３５，２３７)のそれぞれは、第１〜第４上部屈曲部分(２２１，２２３，２２５，２２７)のそれぞれから延長される。第１〜第４上部屈曲部分(２２１，２２３，２２５，２２７)のそれぞれは、第１〜第４ウィンドウ延長部分(１３１，１３３，１３５，１３７)のそれぞれと対応する形状を有し、重畳する。第１〜第４延長平坦部分(２３１，２３３，２３５，２３７)のそれぞれは、第３方向（ＤＲ３）と平行に延長される。
【００６５】
第１〜第４下部屈曲部分(２４１，２４３，２４５，２４７)のそれぞれは、第１〜第４延長平坦部分(２３１，２３３，２３５，２３７)のそれぞれから延長される。第１〜第４下部屈曲部分(２４１，２４３，２４５，２４７)は、対応する上部平坦部分２１０の辺を基準にして曲がった形状を有し得る。
【００６６】
第１〜第４下部屈曲部分(２４１，２４３，２４５，２４７)は、上部平坦部分２１０の中心（又は中心の下部の任意の点）に近づくように曲がっているので、第３方向（ＤＲ３）で表示パネル２００の上部から下部に向けて見た場合に、第１〜第４下部屈曲部分(２４１，２４３，２４５，２４７)は、視認されない場合がある。第１〜第４下部屈曲部分(２４１，２４３，２４５，２４７)の曲率中心は、第１〜第４下部屈曲部分(２４１，２４３，２４５，２４７)の上部、すなわち、第１〜第４下部屈曲部分(２４１，２４３，２４５，２４７)に比べて、第１〜第４下部屈曲部分(２４１，２４３，２４５，２４７)と対応する第１〜第４支持部材(３１０，３２０，３３０，３４０)の近くに位置する。
【００６７】
第１〜第４下部平坦部分(２５１，２５３，２５５，２５７)のそれぞれは、第１〜第４下部屈曲部分(２４１，２４３，２４５，２４７)のそれぞれから平面上で、上部平坦部分２１０の中心に向かって延長される。第１〜第４下部平坦部分(２５１，２５３，２５５，２５７)は、フラットな形状を有する。
【００６８】
図６は、図２のＢＢ領域に応じた表示パネルの一部を図示した斜視図である。
【００６９】
図２〜図４及び図６を参照すると、本発明の実施形態において、上部平坦部分２１０は、平面上で面取りされた四角形状を有するので、上部平坦部分２１０の面取りされた部分に接続された表示パネル２００の一部分は、第１〜第４上部屈曲部分(２２１，２２３，２２５，２２７)に含まれるものとして定義される。上部平坦部分２１０の面取りされた部分に接続され、第１〜第４上部屈曲部分(２２１，２２３，２２５，２２７)に含まれる表示パネル２００の一部分は、上部面取り屈曲部分２６０として定義される。上部面取り屈曲部分２６０は、隣接し合った上部平坦部分２１０の２つの辺を基準にして曲がっている。本発明の実施形態では、上部面取り屈曲部分２６０は、四つであり得る。
【００７０】
同様に、上部面取り屈曲部分２６０に接続された表示パネル２００の一部分は、第１〜第４延長平坦部分(２３１，２３３，２３５，２３７)に含まれるものとして定義される。上部面取り屈曲部分２６０に接続され、第１〜第４延長平坦部分(２３１，２３３，２３５，２３７)に含まれる表示パネル２００の一部分は、パネル面取り延長部分２７０として定義される。パネル面取り延長部分２７０は、第３方向（ＤＲ３）と平行し、第３方向（ＤＲ３）を基準にして曲がっている。本発明の実施形態では、パネル面取り延長部分２７０は、四つであり得る。
【００７１】
同様に、パネル面取り延長部分２７０に接続された表示パネル２００の一部分は、第１〜第４下部屈曲部分(２４１，２４３，２４５，２４７)に含まれるものとして定義される。パネル面取り延長部分２７０に接続され、第１〜第４下部屈曲部分(２４１，２４３，２４５，２４７)に含まれる表示パネル２００の一部分は、下部面取り屈曲部分２８０として定義される。下部面取り屈曲部分２８０は、隣接し合った上部平坦部分２１０の２つの辺を基準にして曲がっている。本発明の実施形態では、下部面取り屈曲部分２８０は、四つであり得る。
【００７２】
同様に、下部面取り屈曲部分２８０に接続された表示パネル２００の一部分は、第１〜第４下部平坦部分(２５１，２５３，２５５，２５７)に含まれるものとして定義される。下部面取り屈曲部分２８０に接続され、第１〜第４下部平坦部分(２５１，２５３，２５５，２５７)に含まれる表示パネル２００の一部分は、下部面取り平坦部分２９０として定義される。下部面取り平坦部分２９０は、フラットになっている。
【００７３】
図７は、本発明の実施形態で、図１のＩ−Ｉ’線に沿った表示パネルを図示した断面図である。
【００７４】
表示パネル２００には、表示領域（ＤＡ）及び非表示領域（ＮＤＡ）が定義される。表示領域（ＤＡ）は、映像を表示する領域であり、非表示領域（ＮＤＡ）は、映像が表示されない領域であり得る。
【００７５】
上部平坦部分２１０、第１上部屈曲部分２２１、第４上部屈曲部分２２７、第１延長平坦部分２３１、及び第４延長平坦部分２３７は、表示領域（ＤＡ）内に定義される。
【００７６】
第１下部屈曲部分２４１、第４下部屈曲部分２４７、第１下部平坦部分２５１、及び第４下部平坦部分２５７は、非表示領域（ＮＤＡ）内に定義される。
【００７７】
図示していないが、第２上部屈曲部分２２３、第３上部屈曲部分２２５、第２延長平坦部分２３３、及び第４延長平坦部分２３５は、表示領域（ＤＡ）内に定義される。また、第２下部屈曲部分２４３、第３下部屈曲部分２４５、第２下部平坦部分２５３、及び第３下部平坦部分２５５は、非表示領域（ＮＤＡ）内に定義される。
【００７８】
ただし、これに限定されるものではなく、本発明の他の実施形態で、第１〜第４延長平坦部分(２３１，２３３，２３５，２３７)のうち、第１〜第４下部屈曲部分(２４１，２４３，２４５，２４７)に隣接した一部の領域は、非表示領域(ＮＤＡ)内に定義される。
【００７９】
表示パネル２００は、ベース層（ＳＵＢ）、ベース層（ＳＵＢ）上に配置された回路素子層（ＤＰ−ＣＬ）、表示素子層（ＤＰ−ＯＬＥＤ）、及び封止層（ＴＦＥ）を含む。別途に図示されていないが、表示パネル（ＤＰ）は、屈折率調節層などの機能性層をさらに含んでもよい。
【００８０】
ベース層（ＳＵＢ）は、少なくとも一つのプラスチックフィルムを含む。ベース層（ＳＵＢ）は、フレキシブルな基板でプラスチック基板、ガラス基板、金属基板、又は有機/無機複合材料基板などを含んでもよい。
【００８１】
回路素子層（ＤＰ−ＣＬ）は、少なくとも一つの中間絶縁層と回路素子とを含む。中間絶縁層は、少なくとも一つの中間無機膜と、少なくとも一つの中間有機膜とを含む。前記回路素子は、信号ライン、画素の駆動回路などを含む。
【００８２】
表示素子層（ＤＰ−ＯＬＥＤ）は、少なくとも有機発光ダイオードを含む。表示素子層（ＤＰ−ＯＬＥＤ）は、画素定義膜のような有機膜をさらに含んでもよい。
【００８３】
封止層（ＴＦＥ）は表示素子層（ＤＰ−ＯＬＥＤ）を密封する。封止層（ＴＦＥ）は、少なくとも一つの無機膜（以下、封止無機膜）を含む。封止層（ＴＦＥ）は、少なくとも一つの有機膜（以下、封止有機膜）をさらに含んでもよい。封止無機膜の水分/酸素から表示素子層（ＤＰ−ＯＬＥＤ）を保護し、封止有機膜はダストの粒子のような異物質から表示素子層（ＤＰ−ＯＬＥＤ）を保護する。封止無機膜は、シリコンナイトライド層、シリコンオキシナイトライド層及びシリコンオキサイド層、チタニウムオキサイド層、又はアルミニウムオキサイド層などを含む。封止有機膜は、アクリル系有機層を含んでもよく、これに限定されない。
【００８４】
図８は、第１支持部材を拡大して図示した断面図であり、図９は、第４支持部材を拡大して図示した断面図である。
【００８５】
図２〜図４、図８及び図９を参照すると、第１〜第４支持部材(３１０〜３４０)は、表示パネル２００の背面に取り付けられて表示パネル２００を支持する。図示していないが、第１〜第４支持部材(３１０〜３４０)と表示パネル２００との間に接着剤が配置されてもよい。
【００８６】
本発明の一実施形態において、第１〜第４支持部材(３１０〜３４０)は、図２に図示されたように、互いに離隔される。
【００８７】
第１〜第４支持部材(３１０〜３４０)は、硬い物質を含む。第１〜第４支持部材(３１０〜３４０)は、プラスチック又は金属を含んでもよい。
【００８８】
第１支持部材３１０は、表示パネル２００の上部平坦部分２１０、第１上部屈曲部分２２１、第１延長平坦部分２３１、第１下部屈曲部分２４１、及び第１下部平坦部分２５１に付着された状態でこれらの各構成を支持する。
【００８９】
第１支持部材３１０は、第１上部平坦支持部分３１１、第１上部屈曲支持部分３１３、第１延長平坦支持部分３１５、第１下部屈曲支持部分３１７、及び第１下部平坦支持部分３１９を含む。
【００９０】
第１上部平坦支持部分３１１は、上部平坦部分２１０に取り付けられ、上部平坦部分２１０と対応する形状を有する。第１上部平坦支持部分３１１は、フラットになっている。
【００９１】
第１上部屈曲支持部分３１３は、第１上部屈曲部分２２１に取り付けられ、第１上部屈曲部分２２１と対応する形状を有する。
【００９２】
第１延長平坦支持部分３１５は、第１延長平坦部分２３１に取り付けられ、第１延長平坦部分２３１と対応する形状を有する。
【００９３】
第１下部屈曲支持部分３１７は、第１下部屈曲部分２４１に取り付けられ、第１下部屈曲部分２４１と対応する形状を有する。
【００９４】
第１下部平坦支持部分３１９は、第１下部平坦部分２５１に付着される。第１下部平坦支持部分３１９は、フラットになっている。第１下部平坦支持部分３１９は、第１下部平坦部分２５１よりも長い長さを有する。第１下部平坦支持部分３１９の第１下部平坦部分２５１と重畳しない領域に定着溝（ＧＶ）が提供される。
【００９５】
第１下部平坦支持部分３１９の定着溝（ＧＶ）に後述するプリント回路基板（ＰＣＢ）が定着される。
【００９６】
第１上部平坦支持部分３１１、第１上部屈曲支持部３１３、第１延長平坦支持部分３１５、及び第１下部屈曲支持部３１７のそれぞれは、一定の厚さを有する。第１下部平坦支持部分３１９は、定着溝（ＧＶ）が形成された領域以外には第１上部平坦支持部分３１１と実質的に同じ厚さを有する。
【００９７】
第４支持部材３４０は、第１支持部材３１０と比較して、第１下部平坦支持部分３１９と第４下部平坦支持部分３４９との形状が異なり、残りは実質的に類似する。
【００９８】
第４支持部材３４０は、表示パネル２００の上部平坦部分２１０、第４上部屈曲部分２２７、第４延長平坦部分２３７、第４下部屈曲部分２４７、及び第４下部平坦部分２５７に付着された状態でこれらの各構成を支持する。
【００９９】
第４支持部材３４０は、第４上部平坦支持部分３４１、第４上部屈曲支持部分３４３、第４延長平坦支持部分３４５、第４下部屈曲支持部分３４７、及び第４下部平坦支持部分３４９を含む。
【０１００】
第４上部平坦支持部分３４１、第４上部屈曲支持部分３４３、第４延長平坦支持部分３４５、及び第４下部屈曲支持部分３４７のそれぞれは、第１支持部材３１０の第１上部平坦支持部分３１１、第１上部屈曲支持部分３１３、第１延長平坦支持部分３１５、及び第１下部屈曲支持部分３１７のそれぞれと実質的に同じ形状を有するので、具体的な説明を省略する。
【０１０１】
第４下部平坦支持部分３４９は、第１下部平坦支持部分３１９に比べて、より短い長さを有し、定着溝（ＧＶ）が提供されない。
【０１０２】
第２支持部材３２０及び第３支持部材３３０は、第４支持部材３４０と同じ形状を有する。
【０１０３】
第２支持部材３２０は、表示パネル２００の上部平坦部分２１０、第２上部屈曲部分２２３、第２延長平坦部分２３３、第２下部屈曲部分２４３、及び第２下部平坦部分２５３に付着された状態でこれらの各構成を支持する。第２支持部材３２０は、第２上部平坦支持部分３２１、第２上部屈曲支持部３２３、第２延長平坦支持部分３２５、第２下部屈曲支持部分３２７、及び第２下部平坦支持部分３２９を含む。
【０１０４】
第３支持部材３３０は、表示パネル２００の上部平坦部分２１０、第３上部屈曲部分２２５、第３延長平坦部分２３５、第３下部屈曲部分２４５、及び第３下部平坦部分２５５に付着された状態でこれらの各構成を支持する。第３支持部材３３０は、第３上部平坦支持部分３３１、第３上部屈曲支持部分３３３、第３延長平坦支持部分３３５、第３下部屈曲支持部分３３７、及び第３下部平坦支持部分３３９を含む。
【０１０５】
本発明の実施形態において、第１〜第４支持部材(３１０〜３４０)は、表示パネル２００の上部平坦部分２１０の中心領域と重畳しない場合もある。しかし、これに限定されるものではなく、第１〜第４支持部材３１０の第１〜第４上部平坦支持部分(３１１，３２１，３３１，３４１)は、相互に接続されて、上部平坦部分２１０と完全に重畳してもよい。
【０１０６】
再び図３を参照すると、表示装置１０００は、フレキシブルプリント回路基板（ＦＰＣＢ）及びプリント回路基板（ＰＣＢ）をさらに含む。
【０１０７】
フレキシブルプリント回路基板（ＦＰＣＢ）は、表示パネル２００とプリント回路基板（ＰＣＢ）とを電気的に接続させる。フレキシブルプリント回路基板（ＦＰＣＢ）はフレキシブルになっている。
【０１０８】
本発明の実施形態において、フレキシブルプリント回路基板（ＦＰＣＢ）は、第１下部平坦部分２５１に付着される。
【０１０９】
プリント回路基板（ＰＣＢ）は、フレキシブルプリント回路基板（ＦＰＣＢ）を介して表示パネル２００に信号を出力したり、表示パネル２００から信号を受信したりする。
【０１１０】
プリント回路基板（ＰＣＢ）は、表示パネル２００の第１下部平坦部分２５１よりも厚い場合があり、第１支持部材３１０の第１下部平坦支持部分３１９に提供された定着溝（ＧＶ）に定着されてもよい。プリント回路基板（ＰＣＢ）の厚さは、第１下部平坦部分２５１の厚さと定着溝（ＧＶ）の深さとの合計と実質的に同一であり得る。
【０１１１】
本発明の実施形態において、支持部材３００は、表示パネル２００の屈曲領域に対応して配置され、表示パネル２００の屈曲領域を支持し、表示装置１０００の機構的強度を向上させることができる。また、支持部材３００によって表示パネル２００の非表示領域（ＮＤＡ、図７を参照）を、ウィンドウ部材１００と重畳しない位置に配置し、ウィンドウ部材１００と重畳する位置に映像が表示される表示パネル２００の上部屈曲部分(２２１，２２３，２２５，２２７)及び延長平坦部分(２３１，２３３，２３５，２３７)を配置して表示装置１０００の非表示領域（ＮＤＡ）のうち、外部から視認される領域を減らしたり、なくしたりすることができる。
【０１１２】
表示装置１０００は、電子部品６００をさらに含んでもよい。電子部品は、表示パネル２００の下部と第１〜第４支持部材(３１０〜３４０)との間の空間に配置されてもよい。電子部品６００は、表示装置１０００を動作させるための部品、例えば、バッテリー、各種センサであり得る。
【０１１３】
本発明の実施形態において、表示パネル２００の一部の領域は、後面ケース４００と最も近い位置に配置される。例えば、電子部品６００が、バッテリーの場合は、表示パネル２００の第１〜第４下部平坦部分(２５１，２５３，２５５，２５７)は、電子部品６００より後面ケース４００にさらに近い状態になる。本発明の実施形態による表示装置１０００において、表示パネル２００は、支持部材３００にガイドされた形状を有するので、表示パネル２００によって外部から視認される非表示領域（ＮＤＡ）の大きさを減らしながら、支持部材３００の内部空間に他の電子部品６００を収納して空間活用性を極大化することができる。
【０１１４】
図１０は、本発明の実施形態による第１支持部材を図示した斜視図であり、図１１は、本発明の実施形態による第４支持部材を図示した斜視図である。第２〜第４支持部材(３２０，３３０，３４０)は、同じ形状を有するので、第４支持部材３４０の形状の説明により、第２及び第３支持部材(３３０、３４０)の形状の説明に代える。
【０１１５】
図１０及び図１１を参照すると、第１支持部材３１０及び第４支持部材３４０のそれぞれは、一つに提供される。第１支持部材３１０及び第４支持部材３４０のそれぞれは、表示パネル２００の上部平坦部分２１０の対応する辺に沿って長く延長された形状を有する。
【０１１６】
図１２は、本発明の他の実施形態による第１支持部材３１０Ａを図示した斜視図である。
【０１１７】
図１２を参照すると、第１支持部材３１０Ａは、互いに離隔された複数個のサブ支持部材(３１，３２，３３)を含む。複数個のサブ支持部材(３１，３２，３３)は、表示パネル２００の上部平坦部分２１０の対応する辺の延長方向に離隔される。図１２に、サブ支持部材(３１，３２，３３)は、３つに図示したが、サブ支持部材(３１，３２，３３)の個数は、他の数で設定されてもよい。
【０１１８】
図１３は、本発明の他の実施形態による支持部材３００Ａを図示した斜視図である。
【０１１９】
図１３を参照して説明する支持部材３００Ａは、図２、図３、図４、図８、及び図９を参照して説明した第１〜第４支持部材(３１０〜３４０)が互いに接続された形状を有する。
【０１２０】
支持部材３００Ａは、一体の形状を有する。支持部材３００Ａは、図６を参照して説明した表示パネル２００の上部面取り屈曲部分２６０、パネル面取り延長部分２７０、下部面取り屈曲部分２８０、及び下部面取り平坦部分２９０に付着されて支持する。
【０１２１】
図１４は、本発明の他の実施形態による表示装置において、図１のＩ−Ｉ’線に沿って切断した断面図であり、図１５は、本発明の他の実施形態による表示装置において、図１のＩＩ−ＩＩ’線に沿って切断した断面図である。図１６は、図１４に図示された第１支持部材を拡大して図示した断面図であり、図１７は、図１４に図示された第４支持部材を拡大して図示した断面図である。
【０１２２】
図１４〜図１７を参照して説明する表示装置１００１は、図１〜図４を参照して説明した表示装置１０００に比べて、第１〜第４支持部材(３１０Ｂ、３２０Ｂ、３３０Ｂ、３４０Ｂ)のそれぞれの形状に違いがある。
【０１２３】
本実施形態による第１支持部材３１０Bは、第１内側支持部分３１２をさらに含む。第１内側支持部分３１２は、第１上部平坦支持部分３１１、第１上部屈曲支持部分３１３、第１延長平坦支持部分３１５、第１下部屈曲支持部分３１７、及び第１下部平坦支持部分３１９が形成する表示装置１００１の内側空間に配置される。第１内側支持部分３１２の外側面は、曲面を包含し、第１上部平坦支持部分３１１、第１上部屈曲支持部分３１３、第１延長平坦支持部分３１５、第１下部屈曲支持部分３１７、及び第１下部平坦支持部分３１９のそれぞれの内側面と接触する。第１内側支持部分３１２は、第１内側支持部分３１２を除いた第１支持部材３１０Ｂの部分のそれぞれと接続されて一体の形状を有する。
【０１２４】
第１内側支持部分３１２の内側面は、平面を含む。第１内側支持部分３１２の内側面は、第１上部平坦支持部分３１１の内側面と接続される。本実施形態では、第１内側支持部分３１２は、定着溝（ＧＶ）と重畳しない。しかし、本発明は、第１内側支持部分３１２と定着溝（ＧＶ）との配置関係に特に限定されない。例示的に、本発明の他の実施形態では、第１内側支持部分３１２と定着溝（ＧＶ）とは、部分的に重畳し合う。
【０１２５】
本実施形態による第４支持部材３４０Ｂは、第４内側支持部分３４２をさらに含む。第４内側支持部分３４２は、第４上部平坦支持部分３４１、第４上部屈曲支持部分３４３、第４延長平坦支持部分３４５、第４下部屈曲支持部分３４７、及び第４下部平坦支持部分３４９が形成する表示装置１００１の内側空間に配置される。第４内側支持部分３４２の外側面は、第４上部平坦支持部分３４１、第４上部屈曲支持部分３４３、第４延長平坦支持部分３４５、第４下部屈曲支持部分３４７、及び第４下部平坦支持部分３４９のそれぞれの内側面と接触する。第４内側支持部分３４２は、第４内側支持部分３４２を除いた第４支持部材３４０Ｂの部分のそれぞれと接続されて一体の形状を有する。
【０１２６】
第４内側支持部分３４２の内側面は、平面を含む。第１内側支持部分３４２の内側面は、第４上部平坦支持部分３４１の内側面及び第４下部平坦支持部分３４９の内側面と接続される。第４内側支持部分３４２には、定着溝（ＧＶ）が提供されない。
【０１２７】
本実施形態において、第２支持部材３２０Ｂ及び第３支持部材３３０Ｂは、第４支持部材３４０Ｂと同じ形状を有する。
【０１２８】
本実施形態によると、第１〜第４支持部材(３１０Ｂ、３２０Ｂ、３３０Ｂ、３４０Ｂ)のそれぞれが内側支持部分(３１２、３２２、３３２、３４２)を含むことにより、第１〜第４支持部材(３１０Ｂ、３２０Ｂ、３３０Ｂ、３４０Ｂ)の強度を増加させることができる。その結果、表示装置１０００１の屈曲領域での耐衝撃性をより効果的に向上することができる。
【０１２９】
図１８は、本発明の他の実施形態による表示装置において、図１のＩ−Ｉ’線に沿って切断した断面図であり、図１９は、本発明の他の実施形態による表示装置において、図１のＩＩ−ＩＩ’線に沿って切断した断面図である。
【０１３０】
図１８及び図１９を参照して説明する表示装置１００２は、図１〜図４を参照して説明した表示装置１０００に対して、反射防止層５００をさらに包含する点で違いがあり、残りは実質的に類似する。以下、反射防止層５００について具体的に説明し、残りの構成についての説明は省略する。
【０１３１】
反射防止層５００は、表示パネル２００とウィンドウ部材１００との間に配置される。反射防止層５００は、接着剤（図示せず）を介して表示パネル２００に付着されてもよい。反射防止層５００は、表示パネル２００の中から出射される光を外部に透過させ、外部から入射された光が反射防止層５００の下部の構成から反射され、再び外部に進行することを防止する。
【０１３２】
反射防止層５００は、直線偏光板と１／４波長の位相遅延層（１／４λ板）とが順次積層された構造を有する。ただし、これに限定されるものではなく、反射防止層５００は、外部光の反射を遮断するための多様な実施形態を有してもよい。
【０１３３】
反射防止層５００は、表示パネル２００の上部平坦部分２１０、第１〜第４上部屈曲部分(２２１，２２３，２２５，２２７)、第１〜第４延長平坦部分(２３１，２３３，２３５，２３７)、第１〜第４下部屈曲部分(２４１，２４３，２４５，２４７)、及び第１〜第４下部平坦部分(２５１，２５３，２５５，２５７)と重畳して配置される。
【０１３４】
したがって、本発明の実施形態による表示装置１００１において、反射防止層５００は、外部の衝撃から表示パネル２００の大部分の領域（平坦領域及び屈曲領域）を保護することができる。
【０１３５】
本発明の実施形態による表示装置１００２において、表示パネル２００は、第１〜第４上部屈曲部分(２２１，２２３，２２５，２２７)及び第１〜第４下部屈曲部分(２４１，２４３，２４５，２４７)を包含して曲げによるクラックに脆弱であり得る。本発明の実施形態による表示装置１００１において、反射防止層５００は、表示パネル２００に付着されて表示パネル２００の全領域で曲げによって定義される中立面(ｎｅｕｔｒａｌ  ｐｌａｎｅ)が封止層(ＴＦＥ、図７を参照)に形成されうるように調節されてもよい。
【０１３６】
図２０は、本発明の他の実施形態による表示装置において、図１のＩ−Ｉ’線に沿って切断した断面図であり、図２１は、本発明の他の実施形態による表示装置において、図１のＩＩ−ＩＩ’線に沿って切断した断面図である。
【０１３７】
図２０及び図２１を参照して説明する表示装置１００３は、図１〜図４を参照して説明した表示装置１０００に比べて、ウィンドウ部材１００Ａ、表示パネル２００Ａ、及び支持部材３００Ｃの形状に違いがある。
【０１３８】
ウィンドウ部材１００Ａは、図１〜図４ウィンドウ部材１００において第１〜第４ウィンドウ延長部分(１３１，１３３，１３５，１３７)が省略された構造を有する。ウィンドウ部材１００Ａの第１〜第４ウィンドウ屈曲部分(１２１，１２３，１２５，１２７)は、後面ケース４００と接触する。
【０１３９】
表示パネル２００Ａは、図１〜図４の表示パネル２００において第１〜第４延長平坦部分(２３１，２３３，２３５，２３７)が省略された構造を有する。表示パネル２００Ａの第１〜第４上部屈曲部分(２２１，２２３，２２５，２２７)のそれぞれと、第１〜第４下部屈曲部分(２４１，２４３，２４５，２４７)のそれぞれとは、直接接続される。
【０１４０】
支持部材３００Ｃは、図１〜図４の支持部材３００において第１〜第４延長平坦支持部分(３１５，３２５，３３５，３４５)が省略された構造を有する。支持部材３００Ｃの第１〜第１〜第４上部屈曲支持部分(３１３，３２３，３３３，３４３)のそれぞれと、第１〜第４下部屈曲支持部分(３１７，３２７，３３７，３４７)のそれぞれとは、直接接続される。
【０１４１】
図２０及び図２１を参照して説明した表示装置１００３は、図１〜図４を参照して説明した表示装置１０００に比べて、第３方向（ＤＲ３）にスリムな厚さを有する。
【０１４２】
図２２は、本発明の他の実施形態による表示装置において、図１のＩ−Ｉ’線に沿って切断した断面図である。
【０１４３】
図２２を参照して説明する表示装置１００４は、図１〜図４を参照して説明した表示装置１０００に比べて、第１支持部材３１０Ｂ、フレキシブルプリント回路基板（ＦＰＣＢ１）、及びプリント回路基板（ＰＣＢ１）に違いがある。以下、図１８の表示装置１００４と、図１〜図４の表示装置１０００との違いを中心にして説明する。
【０１４４】
第１支持部材３１０Ｂは、第１下部平坦支持部分３１９Ｂを含む。第１下部平坦支持部分３１９Ｂは、図１〜図４の下部平坦支持部分３１９に比べて、より短い長さを有する。
【０１４５】
フレキシブルプリント回路基板（ＦＰＣＢ１）は、第１下部平坦支持部分３１９Ｂに向かって曲げられる。プリント回路基板（ＰＣＢ１）は、第１下部平坦支持部分３１９Ｂと接触し、第１下部平坦支持部分３１９Ｂによって支持される。第１下部平坦支持部分３１９Ｂは、プリント回路基板(ＰＣＢ１)と第１下部平坦部分２５１との間に位置する。
【０１４６】
図２３は、本発明の他の実施形態において、第１支持部材を拡大して図示した断面図であり、図２４は、第４支持部材を拡大して図示した断面図である。
【０１４７】
第１支持部材３１０Ｄは、内部に第１アンテナパターン(ＡＴＮ１)を包含し、第４支持部材３４０Ｄは、内部に配置された第２アンテナパターン(ＡＴＮ２)を含む。第１及び第４支持部材(３１０Ｄ、３４０Ｄ)は、第１及び第２アンテナパターン(ＡＴＮ１、ＡＴＮ２)を介して外部との通信を行うことができる。
【０１４８】
第２及び第３支持部材（図示せず）は、第４支持部材３４０Ｄと同じ形状を有する。
【０１４９】
本発明は、上述した実施形態に限定されるものではなく、本発明の思想及び範囲を逸脱せずに多様な修正及び変形を行うことができることは、この技術分野における通常の知識を有する者には自明である。したがって、そのような変形例又は修正例は、本発明の特許請求の範囲に属するべきであろう。
【符号の説明】
【０１５０】
１００：ウィンドウ部材
２００：表示パネル
３００：支持部材
４００：後面ケース
５００：反射防止層
ＧＶ：定着溝
【図１】
2019194678.tif 000003
【図２】
2019194678.tif 000004
【図３】
2019194678.tif 000005
【図４】
2019194678.tif 000006
【図５】
2019194678.tif 000007
【図６】
2019194678.tif 000008
【図７】
2019194678.tif 000009
【図８】
2019194678.tif 000010
【図９】
2019194678.tif 000011
【図１０】
2019194678.tif 000012
【図１１】
2019194678.tif 000013
【図１２】
2019194678.tif 000014
【図１３】
2019194678.tif 000015
【図１４】
2019194678.tif 000016
【図１５】
2019194678.tif 000017
【図１６】
2019194678.tif 000018
【図１７】
2019194678.tif 000019
【図１８】
2019194678.tif 000020
【図１９】
2019194678.tif 000021
【図２０】
2019194678.tif 000022
【図２１】
2019194678.tif 000023
【図２２】
2019194678.tif 000024
【図２３】
2019194678.tif 000025
【図２４】
2019194678.tif 000026